(57)【要約】      （修正有）【課題】ロック及びアンロック機構を有するスモールフォームファクタプラガブル接続具を提供する。【解決手段】ロック及びアンロック機構４０は、基座１０に設けられているトルクバネ５０、回転可能に外カバー２０上に設けられる連動部材６０、回転可能に外カバー２０と基座１０上に設けられる回転部材７０、外カバー２０と基座１０の軸孔１６とトルクバネ５０の円柱バネ体５１内に挿入される固定ロッド８０を含む。ロック及びアンロック機構４０が初期状態またはロック状態になった時、回転部材７０の掛け鈎は外カバー２０の前部の頂面に延伸され、回転部材７０のバネ押圧部はトルクバネ５０の水平挿しピン５３を押圧することで、該掛け鈎が所定の係止力を有することができる。【選択図】図２
0003198805.tif 000002
【実用新案登録請求の範囲】
【請求項１】
基座と、該基座上に設けられている外カバーと、該基座と該外カバー上に設けられているロック及びアンロック機構と、を含む、ロック及びアンロック機構を有するスモールフォームファクタプラガブル接続具において、
該基座は、前方に位置する挿入端と後方に位置する固定端とを有し、該固定端は、該固定端の頂面に形成されている固定通路と、該固定通路の底面に設けられているバネ固定台と、該固定通路の底面に形成されて該バネ固定台の後方に位置するバネ固定孔と、該固定端の左表面、右表面を貫通し、かつ該固定通路により２つに分離される第1軸孔と、を含み、
該外カバーは、該挿入端に対応する前部と該固定端に対応する後部とを有し、該後部は、該基座の固定通路に対応する開口と、該第1軸孔に対応する第2軸孔と、該第2軸孔の後方に位置する底面固定溝と、を含み、該前部は、該前部の頂面から下へ凹み、かつ該開口に連通する収容室を含み、該外カバーが該基座に装着される時、該固定通路、該バネ固定台と該バネ固定孔は該開口に露出され、該第2軸孔と該第1軸孔が一致し、該底面固定溝は該基座の頂面により閉鎖されており、該収容室は該基座の固定通路に連通されており、
該ロック及びアンロック機構は、トルクバネ、連動部材、回転部材、固定ロッドを含み、
該トルクバネは、該基座のバネ固定台に取付けられており、該トルクバネは、円柱バネ体と、該円柱バネ体の一端から延伸されて該バネ固定孔内に挿入される直立挿しピンと、該円柱バネ体の他端から延伸されて該収容室内に挿入される水平挿しピンと、を含み、
該連動部材は回転可能に該外カバー上に取付けられており、該連動部材は、回転可能に該底面固定溝内に収容される水平棒と、該水平棒に連結されて該外カバーと該基座の外部に位置する操作ハンドルと、該水平棒上に形成され、かつ後ろへ突出して該開口に露出される円弧状突起と、を含み、
該回転部材は回転可能に該外カバーと該基座上に取付けられており、該回転部材は、該固定通路と該開口に収容される本体と、該本体の底面に形成されて該トルクバネの円柱バネ体を被覆するチャンバと、該本体の左右表面を貫通して該チャンバにより２つに分離され、かつ該第1軸孔と第2軸孔に一致する第3軸孔と、該第3軸孔の前方に位置して該本体の前表面から前へ延伸して該収容室内に挿入されるロックアームと、該ロックアームの頂面に設けられて該前部の頂面に延伸される掛け鈎と、該ロックアームの底面に設けられて該トルクバネの水平挿しピンにより押圧されるバネ押圧部と、該第3軸孔の後方に位置して該円弧状突起に押圧される駆動面と、該駆動面の後方に位置して下へ向って該駆動面を超過して延伸し、かつ該固定端の頂面に圧着される直立当て壁と、を含み、
該固定ロッドは、該第1軸孔、該第2軸孔、該第3軸孔、該トルクバネの円柱バネ体内に挿入して、該回転部材を該基座と該外カバー上に枢着させる、ことを特徴とするスモールフォームファクタプラガブル接続具。
【請求項２】
該バネ固定台は、円弧状凹面と、該円弧状凹面の前方に直立される前ストッパーと、該円弧状凹面の後方に直立される後ストッパーと、を含み、
該トルクバネの円柱バネ体は該円弧状凹面内に収容され、該直立挿しピンは該後ストッパーの後表面に沿って該バネ固定孔内に挿入され、該水平挿しピンは該前ストッパーの片側から延伸して該収容室内に挿入される、ことを特徴とする請求項１に記載のスモールフォームファクタプラガブル接続具。
【請求項３】
該連動部材は、該操作ハンドルと該水平棒の連結に用いる２つのU字型スタンドを更に含み、該操作ハンドルと該水平棒は平行して設けられる、ことを特徴とする請求項１に記載のスモールフォームファクタプラガブル接続具。
【請求項４】
該回転部材の駆動面は水平面であり、該バネ押圧部は下へ向って延伸する凸部である、ことを特徴とする請求項１に記載のスモールフォームファクタプラガブル接続具。
【請求項５】
該外カバーの後部は、枠型構造を形成し、頂壁、左側壁と右側壁を有し、
該開口は該頂壁を左右の2つ半分に分離し、該第2軸孔は、該左側壁、右側壁を貫通し、該底面固定溝は該頂壁の底面に形成されている、ことを特徴とする請求項１に記載のスモールフォームファクタプラガブル接続具。
【請求項６】
該外カバーの後部の頂面は該前部の頂面より高くなり、該前部と該後部の間には肩部が形成されており、
該収容室は該肩部に隣接する、ことを特徴とする請求項５に記載のスモールフォームファクタプラガブル接続具。
【請求項７】
該スモールフォームファクタプラガブル接続具は圧接ケースを更に含み、該圧接ケースは、該基座と該外カバーの周辺を囲んで固定され、かつ該肩部に位置しており、
該圧接ケースの後端には外部に湾曲して該肩部に向って延伸する複数の弾性片が形成される、ことを特徴とする請求項６に記載のスモールフォームファクタプラガブル接続具。
【請求項８】
該基座の挿入端には支持梁が設置されて、該収容室の底壁を支持する、ことを特徴とする請求項１に記載のスモールフォームファクタプラガブル接続具。
【考案の詳細な説明】
【技術分野】
【０００１】
本考案は接続具に関し、特にロック及びアンロック機構を有するスモールフォームファクタプラガブル接続具に関する。
【背景技術】
【０００２】
現在、スモールフォームファクタプラガブル（Small Form-factor  Pluggable、略称はSFP）接続具は汎用の光/電気通信送受信モジュールである。通常、SFP接続具にはロック機構が設けられており、SFP接続具がソケットコネクタに接続される時、先ず、該SFP接続具は遮蔽カバー内に挿入し、かつ該ロック機構により該SFP接続具を該遮蔽カバー内に固定して、ソケットコネクタとの接続安全性を確保することができる。接続の遮断を必要とする時、該SFP接続具は更にアンロック機構により、該遮蔽カバーと分離されて、即時に引抜かれることができる。
【０００３】
しかし、接続具が徐々に小さくなって来る度に、電子デバイス内のソケットコネクタの密集度が漸次に増加することにより、該SFP接続具と該遮蔽カバーの固定または分離機構が段々複雑になって、その操作も更に難しくなっている。
【考案の概要】
【考案が解決しようとする課題】
【０００４】
そのため、本考案は、ロックとアンロック機構を単純化し、更にそのアンロック操作を単純化する新型スモールフォームファクタプラガブル接続具を提供する。
【課題を解決するための手段】
【０００５】
本考案の主な目的は、効率的にロックまたはアンロックを行い、かつそのロックとアンロック機構の操作が非常に便利で、更に高速になるロックとアンロック機構を有するスモールフォームファクタプラガブル接続具を提供する。
【０００６】
本考案の他の目的と特徴は、本考案に開示されている技術手段により更に理解することができる。
【０００７】
前記目的に達するため、本考案は下記の技術手段を利用する。ロック及びアンロック機構を有するスモールフォームファクタプラガブル接続具は、基座、該基座上に設けられている外カバー、該基座と該外カバー上に設けられているロック及びアンロック機構を含む。該基座は前方に位置する挿入端と後方に位置する固定端を有する。該固定端は、該固定端の頂面に形成される固定通路と、該固定通路の底面に設けられているバネ固定台と、該固定通路の底面に形成され、かつ該バネ固定台の後方に位置するバネ固定孔と、該固定端の左表面、右表面を貫通し、かつ該固定通路によって２つに分離される第1軸孔と、を含む。該外カバーは、該挿入端に対応する前部と該固定端の互いに対応する後部とを有し、該後部は、該基座の固定通路に互いに対応する開口と、該第1軸孔と互いに対応する第2軸孔と、該第2軸孔の後方に位置する底面固定溝と、を含み、該前部は、該前部の頂面から下へ凹む凹部収容室を含み、該凹部収容室は前記開口に連通する。該外カバーが該基座上に組立てられる時、該固定通路、該バネ固定台と該バネ固定孔は該開口に露出され、該第2軸孔と該第1軸孔が一致し、該底面固定溝は該基座の頂面により閉鎖されており、該収容室は該基座の固定通路に連通されている。該ロック及びアンロック機構は、トルクバネ、連動部材、回転部材、固定ロッドを含む。該トルクバネは、該基座のバネ固定台上に取付けられ、該トルクバネは、円柱バネ体と、該円柱バネ体の一端から延伸して該バネ固定孔内に挿入される直立挿しピンと、該円柱バネ体の他端から延伸して該収容室内に挿入される水平挿しピンと、を含む。該連動部材は回転可能に該外カバー上に取付けられ、該連動部材は、回転可能に該底面固定溝内の水平棒と、該水平棒に連結して該外カバーと該基座の外部に位置する操作ハンドルと、該水平棒に形成されて後ろへ突出して該開口に露出される円弧状突起と、を含む。該回転部材は、回転可能に該外カバーと該基座上に取付けられ、該回転部材は、該固定通路と該開口内に収容される本体と、該本体の底面に形成されて該トルクバネの円柱バネ体を覆うチャンバと、該本体を貫通する左右表面が該にチャンバによって２つに分離され、かつ該第1軸孔と第2軸孔にガタイに一致する第3軸孔と、該第3軸孔の前方に位置して該本体の前表面から前へ突出して該収容室内に挿入されるロックアームと、該ロックアームの頂面に設けられ、かつ該前部の頂面に突出する掛け鈎と、該ロックアームの底面に設けられ、かつ該トルクバネの水平挿しピンにより押圧されるバネ押圧部と、該第3軸孔の後方に位置し、かつ該円弧状突起を指圧する駆動面と、該駆動面の後方に位置して該駆動面を超えて下へ延伸し、かつ該固定端の頂面に隣接する直立当て壁と、を含む。該固定ロッドは、該第1軸孔、該第2軸孔、該第3軸孔、該トルクバネの円柱バネ体内に挿入されて、該回転部材を該基座と該外カバーに枢着させている。
【０００８】
１つの実施例で、該バネ固定台は、円弧状凹面、該円弧状凹面の前方に直立する前ストッパー、該円弧状凹面の後方に直立する後ストッパーを含む。該トルクバネの円柱バネ体は該円弧状凹面内に収容され、該直立挿しピンは、該後ストッパーの後表面に沿って該バネ固定孔内に挿入されており、該水平挿しピンは、該前ストッパーの片側に延伸して該収容室内に挿入されている。
【０００９】
１つの実施例で、該連動部材は該操作ハンドルと該水平棒の連結に用いる２つのU字型スタンドを更に含み、該操作ハンドルと該水平棒は平行して設けられている。
【００１０】
１つの実施例で、該回転部材の駆動面は水平面であり、該バネ押圧部は下へ延伸する凸部である。
【００１１】
１つの実施例で、該外カバーの後部は枠型構造を形成し、頂壁、左側壁と右側壁を有する。該開口は該頂壁を左右の2つ半分に分離し、該第2軸孔は該左即壁と右側壁を貫通し、該底面固定溝は該頂壁の底面に形成されている。
【００１２】
１つの実施例で、該外カバーの後部の頂面は該前部の頂面より高く、該前部と該後部の間には肩部が形成されており、該収容室は該肩部に隣接する。
【００１３】
１つの実施例で、該スモールフォームファクタプラガブル接続具は圧接ケースを更に含み、該圧接ケースは該基座と該外カバーの周辺を囲んで該周辺に固定され、かつ該肩部箇所に隣接する。該圧接ケースの後端には、外部に湾曲し、かつ該肩部に向かって延伸する複数の弾性片が形成されている。
【００１４】
１つの実施例で、該基座の挿入端には支持梁が設置されて、該収容室の底壁を支持している。
【００１５】
従来技術に比べて、本考案のロック及びアンロック機構を有するスモールフォームファクタプラガブル接続具は、ロック及びアンロック機構の操作が簡単で、効率的にロックとアンロックの性能を果たすことができる。
【図面の簡単な説明】
【００１６】
【図１】図1は、本考案のロック及びアンロック機構を有するスモールフォームファクタプラガブル接続具における立体構造を示す図である。
【図２】図2は、本考案のロック及びアンロック機構を有するスモールフォームファクタプラガブル接続具における分解構造を示す図である。
【図３】図3は、図２に示されている基座を他の角度で観察した構造を示す図である。
【図４】図4は、図２に示されている外カバーを他の角度で観察した構造を示す図である。
【図５】図5は、図２に示されている回転部分を他の角度で観察した構造を示す図である。
【図６】図6は、図２に示されている外カバーと基座を組合せた後の構造を示す図であり、圧接ケースは省略されている。
【図７】図7は、一部の断面構造図であり、本考案のスモールフォームファクタプラガブル接続具におけるロック及びアンロック機構の初期のロックとアンロック状態を示している。
【図８】図8は、一部の断面構造図であり、本考案のスモールフォームファクタプラガブル接続具におけるロック及びアンロック機構のアンロック状態を示している。
【図９】図9は、本考案のスモールフォームファクタプラガブル接続具がアンロック状態の時の立体構造を示す図である。
【図１０】図10は、遮蔽カバーの立体構造図であり、該遮蔽カバーは本考案におけるロック及びアンロック機構を有するスモールフォームファクタプラガブル接続具の収容に用いる。
【考案を実施するための形態】
【００１７】
以下は図面と実施例を合わせて本考案に対して説明する。本考案で用いる方向の用語、例えば「上」、「下」、「前」、「後」、「左」、「右」、「頂」、「底」などは、本考案の図面における方向であり、例えば、図1の製品構造の方向を参照されたい。そのため、使用される方向の用語は本考案を説明と理解するためであり、本考案を制限するものではない。
【００１８】
図1、図2に示されるように、本考案のスモールフォームファクタプラガブル接続具1は、主に基座10と、該基座10上に設けられている外カバー20と、該基座10と該外カバー20の周辺を囲んで固定される圧接ケース30と、該基座10と該外カバー20上に設けられるロック及びアンロック機構40と、を含む。
【００１９】
図2に示されるように、該基座10は前方に位置する挿入端11と後方に位置する固定端12とを含み、該固定端12の頂面110は該挿入端11の頂面120より高い。該外カバー20は、該挿入端11に対応する前部21と、該固定端12に対応する後部22と、を有し、該外カバー20の後部22の頂面220は該前部21の頂面210より高いため、該前部21と該後部22の間には肩部23が形成されている。図6に示されるように、該外カバー20の前部21が該基座10の挿入端11上に装着され、該外カバー20の後部22はネジ200を用いて該基座10の固定端12に締付けられている。ほぼ、該基座10の挿入端11は該外カバー20の前部21は、遮蔽カバー9（図10を参照）内に挿入されてソケットコネクタ（未図示）に接続されており、該基座10の固定端12と該外カバー20の後部22は該遮蔽カバー9の外部に露出されている。
【００２０】
図2に示されるように、該圧接ケース30は、該外カバー20の前部21と該基座10の挿入端11を囲んで該肩部23に隣接する。該圧接ケース30の後端には、外部に湾曲して該肩部23に向かって延伸する複数の弾性片31が形成されている。該スモールフォームファクタプラガブル接続具1が図10示された該遮蔽カバー9内に挿入される時、該圧接ケース30上に位置する弾性片31は、該遮蔽カバー9の内壁面と弾性接触して、該圧接ケース30と該遮蔽カバー9が完全な圧接通路を形成するように確保する。
【００２１】
同時に図2、図3を参照されたい。該基座10の固定端12は、該固定端12の頂面120の中間箇所に位置する固定通路13と、該固定通路13の底面に設けられているバネ固定台14と、該固定通路13の底面に形成され、かつ該バネ固定台14の後方に位置するバネ固定孔15と、該固定端12の左表面と右表面を貫通し、かつ該固定通路13により２つに分離される第1軸孔16と、を含む。図3に示されるように、該バネ固定台14は、円弧状凹面140と、該円弧状凹面140前方に直立する前ストッパー141と、該円弧状凹面140の後方に直立する後ストッパー142と、を有する。本実施例で、図3に示されるように、該基座10の挿入端11には、該固定端12に隣接し、かつ該固定通路13の底面より低い支持梁17が設けられている。
【００２２】
図4に示されるように、該外カバー20の後部22は枠型構造を形成し、頂壁223、左側壁221、右側壁222を有する。具体的に、該外カバー20の後部22は、該頂壁223の中間箇所に位置し、かつ該頂壁223を左右の2つ半分に分離される開口24と、該左側壁221、右側壁222を貫通する第2軸孔25と、該頂壁223の底面に形成され、かつ該第2軸孔25の後方に位置する底面固定溝26と、を含む。更に図2と図4に示されるように、該外カバー20の前部21は、該肩部23に隣接し、かつ該前部21の頂面210から下へ凹む収容室27を含み、該収容室27と該開口24は該外カバーの長手方向に沿って互いに連通する。本実施例で、該収容室27と該開口24は該外カバー20の中心線に位置する。
【００２３】
図6に示されるように、該外カバー20が該基座10に装着される時、該外カバー20の後部22の一部が該基座10の固定端12を被覆している。この時、該外カバー20の開口24（図2を参照）は該基座10の固定通路13に対応し、該固定通路13、該バネ固定台14と該バネ固定孔15は該開口24に露出されており、該外カバー20の第2軸孔25は該基座10の第1軸孔16に一致する。該外カバー20の底面固定溝26は該基座10の頂面120により閉鎖されており、該外カバー20の収容室27は該基座10の固定通路13に連通する。更に、該外カバー20の前部21の収容室27の底壁270（図4を参照）はちょうど該基座10の挿入端11の支持梁17（図3を参照）に位置し、かつ該支持梁17により支持される。
【００２４】
図2に示されるように、該ロック及びアンロック機構40は、トルクバネ50、連動部材60、回転部材70、固定ロッド80を含む。
【００２５】
図2に示されるように、前記トルクバネ50は該基座10のバネ固定台14に設けられており、該トルクバネ50は、円柱バネ体51、該円柱バネ体51の一端から延伸される直立挿しピン52、該円柱バネ体51の他端から延伸される水平挿しピン53を含むから。
【００２６】
図6に示されるように、該トルクバネ50の円柱バネ体51は該バネ固定台14の円弧状凹面140内に収容されており、該直立挿しピン52は該基座10のバネ固定孔15内に挿入され、該水平挿しピン53は該外カバー20の収容室27内に水平に挿入されている。具体的に、該直立挿しピン52は、該バネ固定台14の後ストッパー142の後表面に沿って該バネ固定孔15内に挿入され、該水平挿しピン53は該バネ固定台14の前ストッパー141の片側から延伸して該収容室27内に挿入される。該トルクバネ50が該基座10に装着される時、その水平挿しピン53はほぼ元の水平延伸状態になっている。
【００２７】
図2に示されるように、前記連動部材60は、回転可能に該外カバー20上に取付けられている。該連動部材60は、該水平棒61、水平棒61に連結される操作ハンドル62、該水平棒61の中央位置から後ろへ突出する円弧状突起63を含む。本実施で、該操作ハンドル62と該水平棒61は、平行して設けられ、かつ２つのU字型スタンド64により連結されている。
【００２８】
更に図2と図6に示されるように、該連動部材60の水平棒61は回転可能に該外カバー20の底面固定溝26内に収容され、該円弧状突起63は該外カバー20の開口24に露出される。該連動部材60の操作ハンドル62は該基座10と該外カバー20の外部に位置する。本実施例で、該ロック及びアンロック機構40が初期のロックまたはアンロック状態になった時、該操作ハンドル62は該基座10の下方に隠れている。該ロック及びアンロック機構40がアンロック状態になった時、該操作ハンドル62は引き上げられて該基座10から離れている。
【００２９】
図5に示されるように、前記回転部材70は回転可能に図2に示される外カバー20と基座10上に取付けられている。該回転部材70は、本体71と、該本体71の底面に形成されるチャンバ72と、該本体71の左右表面を貫通し、かつ該チャンバ72により２つに分離される第3軸孔73と、該第3軸孔73の前方に位置して該本体71の前表面から前へ突出するロックアーム74と、該ロックアーム74の頂面に設けられる掛け鈎75と、該ロックアーム74の底面に設けられるバネ押圧部76と、該第3軸孔73の後方に位置する駆動面77と、該駆動面77の後方に位置し、かつ該駆動面77を超えて下へ延伸する直立当て壁78と、を含む。本実施例で、該駆動面77は水平面であり、該バネ押圧部76は下へ延伸する凸部である。
【００３０】
更に図1、図5、図6に示されるように、該回転部材70が該外カバー20と該基座10に装着される時、該本体71はちょうど該基座10の固定通路13と該外カバー20の開口24（図2を参照）内に収容され、該本体71の頂面と該外カバー20の後部22の頂面220が一致する。該チャンバ72は該トルクバネ50の円柱バネ体51を被覆する。該回転部材70の第3軸孔73と該基座10の第1軸孔16及び該外カバー20の第2軸孔25が一致し、該ロックアーム74は該外カバー20の収容室27内に挿入されており、該掛け鈎75は該収容室27の外部に位置して該外カバー20の前部21の頂面210に延伸される。該バネ押圧部76は該収容室27内に位置してちょうど該トルクバネ50の水平挿しピン53を押圧することにより、該水平挿しピン53が下へ所定の距離ほど移動することができ、この時、該水平挿しピン53は該ロックアーム74に対して所定の上へ向かう付勢力を加えため、該掛け鈎75が所定の係止力を有することができる。該駆動面77は該連動部材60の円弧状突起63に当接する。該直立当て壁78は該基座10の固定端12の頂面120に圧着されることで、該掛け鈎75が該トルクバネ50の水平挿しピン53の作用によって上へ引き上げられないように保持されるため、該掛け鈎75が初期状態またはロック状態を維持することができる。
【００３１】
図6に示されるように、前記固定ロッド80は、該第1軸孔16、該第2軸孔25、該第3軸孔73、該トルクバネ50の円柱バネ体51内に挿入されることにより、該回転部材70が該基座10と該外カバー20上に枢着されている。
【００３２】
図7に示されるように、該ロック及びアンロック機構40が初期状態の時、該回転部材70の掛け鈎75は該外カバー20の前部21の頂面210に延伸し、該バネ押圧部76は該トルクバネ50の水平挿しピン53を押圧し、該水平挿しピン53が該ロックアーム74に対して上へ向かう所定の付勢力を加えることにより、該掛け鈎75が所定の係止力を有することができる。この時、該回転部材70の直立当て壁78は該基座10の固定端12の頂面120に圧着されるため、該回転部材70は時計回りに回転しない。それ以外に、該回転部材70の駆動面77が該円弧状突起63に圧着されており、該連動部材60の操作ハンドル62は該基座10の下方に隠れている。該スモールフォームファクタプラガブル接続具1が図10に示されている該遮蔽カバー9に挿入される時、該掛け鈎75が該トルクバネ50の作用によって自動で該遮蔽カバー9に位置するロック孔90内に反発されまで、該掛け鈎75は該遮蔽カバー9の内壁面により下へ向って圧着されるため、該スモールフォームファクタプラガブル接続具1を該遮蔽カバー9内に固定して、該遮蔽カバー9から離れないように保持する。この時、該スモールフォームファクタプラガブル接続具1のロック及びアンロック機構40はロック状態になっている。
【００３３】
図8と図9に示されるように、該スモールフォームファクタプラガブル接続具1を図10に示されている該遮蔽カバー9から抜出す時、該連動部材60の操作ハンドル62を引上げることで、該円弧状突起63が反時計回りに回転され、これにより、該円弧状突起63が上へ向って該回転部材70の駆動面77を支持し、かつ該回転部材70が反時計回りに回転することができるため、該ロックアーム74のバネ押圧部76が下へ向って該トルクバネ50の水平挿しピン53を強制的に押圧し、該掛け鈎75は下へ落ち、かつ該収容室27内に隠されて、該前部21の頂面210と一致し、または該頂面210より低くなる。この時、該スモールフォームファクタプラガブル接続具1の該ロック及びアンロック機構40はアンロック状態になり、該掛け鈎75は該遮蔽カバー9のロック孔90から退出されて、該スモールフォームファクタプラガブル接続具1を該遮蔽カバー9内から抜出すことができる。抜出した後、該ロック及びアンロック機構40は該トルクバネ50の作用によって再び初期常態に復帰される。
【符号の説明】
【００３４】
1 スモールフォームファクタプラガブル接続具
10 基座
11 挿入端
12 固定端
110,120,210,220 頂面
13 固定通路
14 バネ固定台
140 円弧状凹面
141 前ストッパー
142 後ストッパー
15 バネ固定孔
16 第1軸孔
17 支持梁
20 外カバー
21 前部
22 後部
223 頂壁
221 左側壁
222 右側壁
23 肩部
24 開口
25 第2軸孔
26 底面固定溝
27 収容室
270 底壁
30 圧接ケース
31 弾性片
40 ロック及びアンロック機構
50 トルクバネ
51 円柱バネ体
52 直立挿しピン
53 水平挿しピン
60 連動部材
61 水平棒
62 操作ハンドル
63 円弧状突起
64 Uタイプスタンド
70 回転部材
71 本体
72 チャンバ
73 第3軸孔
74 ロックアーム
75 掛け鈎
76 バネ押圧部
77 駆動面
78 直立当て壁
80 固定ロッド
9 遮蔽カバー
90 ロック孔
200 ネジ
【図１】
0003198805.tif 000003
【図２】
0003198805.tif 000004
【図３】
0003198805.tif 000005
【図４】
0003198805.tif 000006
【図５】
0003198805.tif 000007
【図６】
0003198805.tif 000008
【図７】
0003198805.tif 000009
【図８】
0003198805.tif 000010
【図９】
0003198805.tif 000011
【図１０】
0003198805.tif 000012